【手続補正書】
【提出日】平成17年5月18日(2005.5.18)
【手続補正１】
【補正対象書類名】明細書
【補正対象項目名】特許請求の範囲
【補正方法】変更
【補正の内容】
【特許請求の範囲】
【請求項１】
複数のデータ要素からそれぞれ形成される複数のデータストリーム（２０１，２０２）を別個に処理するためのデータ処理パイプラインであって、該データ処理パイプラインは、該複数のデータストリームにより定められ、かつ該複数のデータ要素に対応する併合データ要素で形成される併合データストリーム（２０９）を使用し、
前記複数のデータストリームの第１のデータストリーム（２０１）を受け取る第１の入力を有し、該第１のデータストリームの前記複数のデータ要素について第１の変換を実行し、第１の変換されたデータストリームを生成する第１のパイプライン処理ユニット（２０３）と、
前記複数のデータストリームの第２のデータストリーム（２０２）を受け取る第２の入力を有し、該第２のデータストリームの前記複数のデータ要素について第２の変換を実行し、第２の変換されたデータストリームを生成する第２のパイプライン処理ユニット（２０４）と、
前記第１の変換されたデータストリーム、前記第２の変換されたデータストリームおよび前記併合データストリームを受け取るよう構成され、前記第１の変換されたデータストリームおよび前記第２の変換されたデータストリームを、前記併合データストリームを使用して出力データストリーム（２０８）に併合する併合ユニット（２０７，１２８）と、
を備える、データ処理パイプライン。
【請求項２】
前記複数のデータストリームの前記第１のデータストリームの前記複数のデータ要素は、選択的に無損失性データおよび圧縮無損失性データを含み、前記複数のデータストリームの前記第２のデータストリームの前記複数のデータ要素は、選択的に損失性データおよび圧縮損失性データを含み、
前記併合データ要素は併合データを含み、
前記第１のパイプライン処理ユニットは、無損失性伸張出力および無損失性圧縮出力を有する無損失性圧縮／伸張器(127)を含み、該無損失性圧縮／伸張器は、前記併合データを受け取り、圧縮併合データを生成する機能、および、該圧縮併合データを受け取り、伸張併合データを生成する機能を含み、前記第１の変換されたデータストリームは、選択的に、圧縮無損失性データおよび伸張無損失性データを含み、
前記第２のパイプライン処理ユニットは、損失性伸張出力および損失性圧縮出力を有する損失性圧縮／伸張器(126)を含み、前記第２の変換されたデータストリームは、選択的に、圧縮損失性データおよび伸張損失性データを含み、
前記出力データストリームは、併合された無損失性および損失性データを含み、
前記併合ユニットは、選択的に、前記無損失性データ、前記損失性データ、および前記併合データを受け取って、前記併合された無損失性および損失性データを生成すると共に、前記伸張無損失性データ、前記伸張損失性データおよび前記伸張併合データを受け取って、前記併合された無損失性および損失性データを生成する機能を含む、
請求項１に記載のデータ処理パイプライン。
【請求項３】
前記無損失性圧縮出力および前記損失性圧縮出力に接続され、前記無損失性、前記圧縮無損失性、前記伸張無損失性データ、前記損失性、前記圧縮損失性、前記伸張損失性データ、および、前記併合、前記圧縮併合、前記伸張併合データのうちの少なくとも１つを受け取る第３の入力を有するダイレクトメモリアクセス・コントローラ(122)であって、前記無損失性、前記圧縮無損失性、前記伸張無損失性データ、および、前記併合、前記圧縮併合、前記伸張併合データのうちの少なくとも１つを、前記無損失性圧縮／伸張器(127)に送り、前記損失性、前記圧縮損失性、前記伸張損失性データうちの少なくとも１つを、前記損失性圧縮／伸張器(126)に送るよう構成されたダイレクトメモリアクセス・コントローラと、
前記無損失性伸張出力、前記損失性伸張出力、および前記ダイレクト・メモリアクセス・コントローラに接続され、第１の無損失性出力、第１の損失性出力、および前記併合ユニット(128)に接続された併合データ出力を有するページ片マネージャ(124)と、
前記第１の無損失性出力および前記第１の損失性出力に接続され、前記併合ユニットに接続された第２の無損失性出力および第２の損失性出力を有するカラー空間変換器(125)であって、前記第１および第２の変換のそれぞれが、カラー空間変換を含む、カラー空間変換器と、
を備える、請求項２に記載のデータ処理パイプライン。
【請求項４】
前記カラー空間変換器は、該カラー空間変換器を通る前記無損失性データ、前記伸張無損失性データ、前記損失性データ、前記伸張損失性データをバイパスする機能を含み、
前記カラー空間変換器は、前記無損失性データおよび前記損失性データから選択するため、および、前記伸張無損失性データおよび前記伸張損失性データから選択するため、前記ダイレクトメモリアクセス・コントローラに接続されたセレクタ出力を有するセレクタを含み、
前記無損失性および前記損失性データは、印刷システムにおける使用のため無損失性ラスタ印刷データおよび損失性ラスタ印刷データをそれぞれ含み、前記併合された無損失性および損失性データは、併合された無損失性および損失性ラスタ印刷データを含み、
前記ページ片マネージャは、前記無損失性ラスタ印刷データ、前記伸張無損失性ラスタ印刷データ、前記損失性ラスタ印刷データ、および前記伸張損失性ラスタ印刷データのうちの少なくとも１つを、その後の処理操作のためにフォーマットする機能を含み、
前記印刷システムは、電子写真方式印刷システムを含む、
請求項３に記載のデータ処理パイプライン。
【請求項５】
複数の印刷データ要素からそれぞれ形成される複数の印刷データストリームを別個に処理するための印刷データ処理パイプラインであって、該印刷データ処理パイプラインは、該複数の印刷データストリームにより定められ、かつ該複数の印刷データ要素に対応する併合データ要素から形成される併合データストリームを使用し、
前記複数の印刷データストリームの第１の印刷データストリームを受け取る第１の入力を有し、該第１の印刷データストリームの前記複数の印刷データ要素について第１の変換を実行し、第１の変換された印刷データストリームを生成する第１のパイプライン処理ユニットと、
前記複数の印刷データストリームの第２の印刷データストリームを受け取る第２の入力を有し、該第２の印刷データストリームの前記複数の印刷データ要素について第２の変換を実行し、第２の変換された印刷データストリームを生成する第２のパイプライン処理ユニットと、
前記第１の変換された印刷データストリーム、前記第２の変換された印刷データストリーム、および前記併合データストリームを受け取るよう構成され、該第１の変換された印刷データストリームと該第２の変換された印刷データストリームを、該併合データストリームを使用して出力印刷データストリームに併合する併合ユニットと、
を備える、印刷データ処理パイプライン。
【請求項６】
前記併合データ要素は、選択的に、併合データおよび伸張併合データを含み、
前記複数の印刷データストリームの前記第１のストリームの前記複数の印刷データ要素は、選択的に、無損失性ラスタ印刷データおよび圧縮無損失性ラスタ印刷データを含み、
前記複数の印刷データストリームの前記第２のストリームの前記複数の印刷データ要素は、選択的に、損失性ラスタ印刷データおよび圧縮損失性ラスタ印刷データを含み、
前記出力印刷データストリームは、併合された無損失性および損失性のラスタ印刷データを含み、
前記第１のパイプライン処理ユニットは、前記無損失性ラスタ印刷データから前記圧縮無損失性ラスタ印刷データを生成すると共に、前記圧縮無損失性ラスタ印刷データから伸張無損失性ラスタ印刷データを生成する無損失性圧縮／伸張器を含み、
前記第２のパイプライン処理ユニットは、前記損失性ラスタ印刷データから前記圧縮損失性ラスタ印刷データを生成すると共に、前記圧縮損失性ラスタ印刷データから伸張損失性ラスタ印刷データを生成する損失性圧縮／伸張器を含み、
前記第１の変換されたデータストリームは、選択的に、前記無損失性ラスタ印刷データ、前記圧縮無損失性ラスタ印刷データ、および前記伸張無損失性ラスタ印刷データを含み、
前記第２の変換されたデータストリームは、選択的に、前記損失性ラスタ印刷データ、前記圧縮損失性ラスタ印刷データ、および前記伸張損失性ラスタ印刷データを含み、
前記無損失性圧縮／伸張器は、無損失性伸張出力および無損失性圧縮出力を含み、前記併合データを受け取って圧縮併合データを生成する機能、および該圧縮併合データを受け取って前記伸張併合データを生成する機能を含み、
前記損失性圧縮／伸張器は、損失性伸張出力および損失性圧縮出力を含む、
請求項５に記載の印刷データ処理パイプライン。
【請求項７】
前記無損失性圧縮出力および前記損失性圧縮出力に接続され、前記無損失性、前記圧縮無損失性、前記伸張無損失性ラスタ印刷データ、前記損失性、前記圧縮損失性、前記伸張損失性ラスタ印刷データ、および、前記併合、前記圧縮併合、前記伸張併合データのうちの少なくとも１つを受け取る入力を有するダイレクト・メモリアクセス・コントローラであって、前記無損失性、前記圧縮無損失性、前記伸張無損失性ラスタ印刷データ、および、前記併合、前記圧縮併合、前記伸張併合データのうちの少なくとも１つを、前記無損失性圧縮／伸張器に送るよう構成されると共に、前記損失性、前記圧縮損失性、前記伸張損失性ラスタ印刷データのうちの少なくとも１つを、前記損失性圧縮／伸張器に送るよう構成された、ダイレクトメモリアクセス・コントローラと、
前記無損失性ラスタ印刷データ、前記損失性ラスタ印刷データ、および前記併合データを印刷データから生成し、前記ダイレクト・メモリアクセス・コントローラの前記入力に送るプロセッサと、
前記無損失性伸張出力、前記損失性伸張出力、および前記ダイレクト・メモリアクセス・コントローラに出力され、第１の無損失性出力、第１の損失性出力、および、前記併合ユニットに接続された併合データ出力を有するページ片マネージャであって、前記無損失性ラスタ印刷データ、前記損失性ラスタ印刷データ、前記併合データ、前記伸張無損失性ラスタ印刷データ、前記伸張損失性ラスタ印刷データ、および前記伸張併合データのうちの少なくとも１つを、その後の処理操作のためにフォーマットする機能を含むページ片マネージャと、
前記第１の無損失性出力および前記第１の損失性出力に接続され、前記併合ユニットに接続された第２の無損失性出力および第２の損失性出力を有するカラー空間変換器であって、該カラー空間変換器を通る前記無損失性ラスタ印刷データ、前記伸張無損失性ラスタ印刷データ、前記損失性ラスタ印刷データ、および前記伸張損失性ラスタ印刷データをバイパスする機能を含み、さらに、前記無損失性ラスタ印刷データおよび前記損失性ラスタ印刷データから選択するため、または前記伸張無損失性ラスタ印刷データおよび前記伸張損失性ラスタ印刷データから選択するため、前記ダイレクト・メモリアクセス・コントローラに接続されるセレクタ出力を有するセレクタを含む、カラー空間変換器と、
を備える、請求項６に記載の印刷データ処理パイプライン。
【請求項８】
プリンタであって、
複数の印刷データ要素からそれぞれ形成される複数の印刷データストリームを生成すると共に、該複数の印刷データストリームにより定められ、かつ該複数の印刷データ要素に対応する併合データ要素から形成される併合データストリームを生成するプロセッサと、
前記プロセッサから前記複数の印刷データストリームを受け取るよう構成されたダイレクト・メモリアクセス・コントローラと、
前記ダイレクト・メモリアクセス・コントローラから前記複数の印刷データストリームのうちの第１の印刷データストリームを受け取る第１の入力を有する第１のパイプライン処理ユニットであって、該第１の印刷データストリームの前記複数の印刷データ要素について第１の変換を実行し、第１の変換された印刷データストリームを生成する第１のパイプライン処理ユニットと、
前記ダイレクト・メモリアクセス・コントローラから前記複数の印刷データストリームのうちの第２の印刷データストリームを受け取る第２入力を有する第２のパイプライン処理ユニットであって、該第２の印刷データストリームの前記複数の印刷データ要素について第２の変換を実行し、第２の変換された印刷データストリームを生成する第２パイプライン処理ユニットと、
前記第１の変換された印刷ストリーム、前記第２の変換された印刷ストリーム、および前記併合データストリームを受け取るよう構成された併合ユニットであって、該第１の変換された印刷データストリームおよび該第２の変換された印刷データストリームを、該併合データストリームを使用して出力印刷データストリームに併合する併合ユニットと、
を備えるプリンタ。
【請求項９】
前記併合データ要素は、選択的に、併合データおよび伸張併合データを含み、
前記複数の印刷データストリームのうちの前記第１の印刷ストリームの前記複数の印刷データ要素は、選択的に、無損失性ラスタ印刷データおよび圧縮無損失性ラスタ印刷データを含み、
前記複数の印刷データストリームのちの前記第２の印刷ストリームの前記複数の印刷データ要素は、選択的に、損失性ラスタ印刷データおよび圧縮損失性ラスタ印刷データを含み、
前記出力印刷データストリームは、併合された無損失性および損失性ラスタ印刷データを含み、
前記第１のパイプライン処理ユニットは、前記圧縮無損失性ラスタ印刷データを前記無損失性ラスタ印刷データから生成すると共に、伸張無損失性ラスタ印刷データを前記圧縮無損失性ラスタ印刷データから生成する無損失性圧縮／伸張器を含み、
前記第２のパイプライン処理ユニットは、前記圧縮損失性ラスタ印刷データを前記損失性ラスタ印刷データから生成すると共に、伸張損失性ラスタ印刷データを前記圧縮損失性ラスタ印刷データから生成する損失性圧縮／伸張器を含み、
前記第１の変換されたデータストリームは、選択的に、前記無損失性ラスタ印刷データ、前記圧縮無損失性ラスタ印刷データ、前記伸張無損失性ラスタ印刷データを含み、
前記第２の変換されたデータストリームは、選択的に、前記損失性ラスタ印刷データ、前記圧縮損失性ラスタ印刷データ、前記伸張損失性ラスタ印刷データを含み、
前記無損失性圧縮／伸張器は、無損失性伸張出力および無損失性圧縮出力を含み、前記併合データを受け取って圧縮併合データを生成すると共に、該圧縮併合データを受け取って前記伸張併合データを生成する機能を含み、
前記損失性圧縮／伸張器は、損失性伸張出力および損失性圧縮出力を含む、
請求項８に記載のプリンタ。
【請求項１０】
前記無損失性伸張出力、前記損失性伸張出力および、前記ダイレクト・メモリアクセス・コントローラに接続され、第１の無損失性出力、第１の損失性出力、および前記併合ユニットに接続された併合データ出力を有するページ片マネージャであって、前記無損失性ラスタ印刷データ、前記伸張無損失性ラスタ印刷データ、前記損失性ラスタ印刷データ、前記伸張損失性ラスタ印刷データ、前記併合データ、および前記伸張併合データのうちの少なくとも１つを、その後処理操作のためにフォーマットする機能を含む、ページ片マネージャと、
前記第１の無損失性出力および前記第１の損失性出力に接続され、前記併合ユニットに接続された第２の無損失性出力および第２の損失性出力を有するカラー空間変換器であって、該カラー空間変換器を通る前記無損失性ラスタ印刷データ、前記伸張無損失性ラスタ印刷データ、前記損失性ラスタ印刷データ、前記伸張損失性ラスタ印刷データをバイパスする機能を含み、さらに、前記無損失性ラスタ印刷データおよび前記損失性ラスタ印刷データから選択するため、および前記伸張無損失性ラスタ印刷データおよび前記伸張損失性ラスタ印刷データから選択するため、前記ダイレクト・メモリアクセス・コントローラに接続されたセレクタ出力を有するセレクタを含む、カラー空間変換器と、
を備える、請求項９に記載のプリンタ。